(57)【要約】【課題】映像データを複数の記録媒体に跨って記録した場合でも、正しく再生すること。【解決手段】一の連続する映像データが記録されている、自身の記録媒体を識別するための情報である記録媒体識別情報と、自身の記録媒体に記録された映像データを識別するためのデータ識別情報と、自身の記録媒体の前又は後の一の連続する映像データが記録されている記録媒体を識別するための情報である記録媒体識別情報とを少なくとも有する記録媒体間管理情報を生成し、各記録媒体に記録する。そして、この記録媒体間管理情報をユーザに表示するとともに、この記録媒体間管理情報を基に再生を行なう。【選択図】図１
2008210494.tif 000002
【特許請求の範囲】
【請求項１】
装着された記録媒体から映像データと、その管理情報とを読み出し再生する再生手段と、
上記再生手段によって上記記録媒体より読み出された上記管理情報に基づいて上記再生手段による上記映像データの再生を制御する再生制御手段とを有し、
上記再生制御手段は、
上記再生手段によって上記記録媒体より読み出された上記管理情報に、上記記録媒体より１つ前である前記録媒体の記録媒体識別情報と、上記前記録媒体に記録される上記映像データである前データのデータ識別情報と、上記記録媒体の次である次記録媒体の記録媒体識別情報と、上記次記録媒体に記録される次データのデータ識別情報とが含まれている否かを判断し、
上記管理情報に、上記次記録媒体の記録媒体識別情報と、上記次データのデータ識別情報とが含まれている一方、上記前記録媒体の記録媒体識別情報と、上記前データのデータ識別情報とが含まれていない場合、上記管理情報に含まれるディスク内管理情報に基づいて上記再生手段による上記映像データの再生を開始させ、
上記映像データの再生が終了間近になった場合、上記管理情報に含まれている上記次記録媒体の記録媒体識別情報と上記次データのデータ識別情報とに基づき上記次の記録媒体の特定情報を生成して表示する、
ことを特徴とする映像データ再生装置。
【請求項２】
請求項１記載の映像データ再生装置において、
上記再生制御手段は、
上記再生手段によって上記記録媒体より読み出された上記管理情報に、上記前記録媒体の記録媒体識別情報と、上記前データのデータ識別情報と、上記次記録媒体の記録媒体識別情報と、上記次データのデータ識別情報とが含まれている場合、
上記前記録媒体の記録媒体識別情報と、上記前データのデータ識別情報と、上記前記録媒体より読み出し記憶しておいた上記次記録媒体の記録媒体識別情報と、上記次データのデータ識別情報識別情報とをそれぞれ比較し、一致している場合、上記管理情報に含まれるディスク内管理情報に基づいて上記再生手段による上記映像データの再生を開始させ、
上記映像データの再生が終了間近になった場合、上記管理情報に含まれている上記次記録媒体の記録媒体識別情報と上記次データのデータ識別情報とに基づき上記次の記録媒体の特定情報を生成して表示する、
ことを特徴とする映像データ再生装置。
【請求項３】
請求項１記載の映像データ再生装置において、
上記再生制御手段は、
上記再生手段によって上記記録媒体より読み出された上記管理情報に、上記前記録媒体の記録媒体識別情報と、上記前データのデータ識別情報とが含まれている一方、上記次記録媒体の記録媒体識別情報と、上記次データのデータ識別情報とが含まれていない場合、
上記前記録媒体の記録媒体識別情報と、上記前データのデータ識別情報と、上記前記録媒体より読み出し記憶しておいた上記次記録媒体の記録媒体識別情報と、上記次データのデータ識別情報とをそれぞれ比較し、一致している場合、上記管理情報に含まれるディスク内管理情報に基づいて上記再生手段による上記映像データの再生を開始させる、
ことを特徴とする映像データ再生装置。
【請求項４】
請求項２または請求項３記載の映像データ再生装置において、
上記再生制御手段は、
上記前記録媒体の記録媒体識別情報と、上記前データのデータ識別情報と、上記前記録媒体より読み出し記憶しておいた上記次記録媒体の記録媒体識別情報と、上記次データのデータ識別情報とをそれぞれ比較し、一致しない場合、連続再生でないことを示す警告表示を実行させる、
ことを特徴とする映像データ再生装置。
【請求項５】
請求項１〜請求項４のいずれか１の請求項に記載の映像データ再生装置において、
上記記録媒体に、少なくとも、上記前記録媒体の記録媒体識別情報と、上記前データのデータ識別情報と、上記前データの代表画像である前代表画像と、その前代表画像を識別するための前代表画像識別情報とが記録されているか、あるいは、上記次記録媒体の記録媒体識別情報と、上記次データのデータ識別情報と、上記次データの代表画像である次代表画像と、その次代表画像を識別するための次代表画像識別情報とが記録されており、
上記再生制御手段は、
上記再生手段によって上記装着された記録媒体より、少なくとも、上記前記録媒体の記録媒体識別情報と、上記前データのデータ識別情報と、上記前代表画像識別情報と、あるいは、上記次記録媒体の記録媒体識別情報と、上記次データのデータ識別情報と、上記次代表画像識別情報とが読み出された場合、
上記装着された記録媒体に記録されている映像データの代表画像を現代表画像として上記再生手段に表示させると共に、読み出された少なくとも上記前代表画像識別情報あるいは上記次代表画像識別情報に基づいて少なくとも上記前代表画像と上記次代表画像とのいずれか一方を上記再生手段に表示させ、かつ、
読み出された上記前記録媒体の記録媒体識別情報と、上記前データのデータ識別情報と、あるいは、上記次記録媒体の記録媒体識別情報と、上記次データのデータ識別情報とに基づいて、上記現代表画像と、少なくとも上記前代表画像と上記次代表画像との少なくともいずれか一方との連続関係を上記再生手段に表示させる、
ことを特徴とする映像データ再生装置。
【請求項６】
装着された記録媒体から映像データの管理情報を読み出すステップと、
上記記録媒体より読み出された上記管理情報に、上記記録媒体より１つ前の前記録媒体の記録媒体識別情報と、上記前記録媒体に記録される前データのデータ識別情報と、上記記録媒体の次の次記録媒体の記録媒体識別情報と、上記次データのデータ識別情報とが含まれている否かを判断するステップと、
上記管理情報に、上記次記録媒体の記録媒体識別情報と、上記次データのデータ識別情報とが含まれている一方、上記前記録媒体の記録媒体識別情報と、上記前データのデータ識別情報とが含まれていない場合、上記管理情報に含まれるディスク内管理情報に基づいて上記映像データの再生を開始させるステップと、
上記映像データの再生が終了間近になった場合、上記管理情報に含まれている上記次記録媒体の記録媒体識別情報と上記次データのデータ識別情報とに基づき上記次の記録媒体の特定情報を生成して表示するステップと、
を有するデータ再生方法。
【請求項７】
請求項６記載のデータ再生方法において、さらに、
上記記録媒体より読み出された上記管理情報に、上記前記録媒体の記録媒体識別情報と、上記前データのデータ識別情報と、上記次記録媒体の記録媒体識別情報と、上記次データのデータ識別情報とが含まれている場合、
上記前記録媒体の記録媒体識別情報と、上記前データのデータ識別情報と、上記前記録媒体より読み出し記憶しておいた上記次記録媒体の記録媒体識別情報と、上記次データのデータ識別情報とをそれぞれ比較し、一致している場合、上記管理情報に含まれるディスク内管理情報に基づいて上記映像データの再生を開始させるステップと、
上記映像データの再生が終了間近になった場合、上記管理情報に含まれている上記次記録媒体の記録媒体識別情報と上記次データのデータ識別情報とに基づき上記次の記録媒体の特定情報を生成して表示するステップと、
を有する映像データ再生装置。
【請求項８】
請求項６記載の映像データ再生装置において、さらに、
上記記録媒体より読み出された上記管理情報に、上記前記録媒体の記録媒体識別情報と、上記前データのデータ識別情報とが含まれている一方、上記次記録媒体の記録媒体識別情報と、上記次データのデータ識別情報とが含まれていない場合、
上記前記録媒体の記録媒体識別情報と、上記前データのデータ識別情報と、上記前記録媒体より読み出し記憶しておいた上記次記録媒体の記録媒体識別情報と、上記次データのデータ識別情報とをそれぞれ比較し、一致している場合、上記管理情報に含まれるディスク内管理情報に基づいて上記映像データの再生を開始させるステップと、
を有するデータ再生方法。
【請求項９】
請求項６〜請求項８のいずれか１の請求項に記載のデータ再生方法において、
上記記録媒体に、少なくとも、上記前記録媒体の記録媒体識別情報と、上記前データのデータ識別情報と、上記前データの代表画像である前代表画像と、その前代表画像を識別するための前代表画像識別情報とが記録されているか、あるいは、上記次記録媒体の記録媒体識別情報と、上記次データのデータ識別情報と、上記次データの代表画像である次代表画像と、その次代表画像を識別するための次代表画像識別情報とが記録されている場合、
上記記録媒体より、少なくとも、上記前記録媒体の記録媒体識別情報と、上記前データのデータ識別情報と、上記前代表画像識別情報と、あるいは、上記次記録媒体の記録媒体識別情報と、上記次データのデータ識別情報と、上記次代表画像識別情報とを読み出すステップと、
上記記録媒体に記録されている映像データの代表画像を現代表画像として上記再生手段に表示させると共に、読み出された少なくとも上記前代表画像識別情報あるいは上記次代表画像識別情報に基づいて少なくとも上記前代表画像と上記次代表画像とのいずれか一方を表示するステップと、
読み出された上記前記録媒体の記録媒体識別情報と、上記前データのデータ識別情報と、あるいは、上記次記録媒体の記録媒体識別情報と、上記次データのデータ識別情報とに基づいて、上記現代表画像と、少なくとも上記前代表画像と上記次代表画像との少なくともいずれか一方との連続関係を表示するステップと、
を有するデータ再生方法。
【発明の詳細な説明】
【技術分野】
【０００１】
本発明は、複数の記録媒体に映像データが連続して跨って記録された複数の記録媒体よりその映像データの再生を行なう映像データ再生装置および映像データ再生方法に関する。
【背景技術】
【０００２】
従来より、光ディスク等の記録媒体を用いて、映像データや音楽データ等の各種データを記録し、再生し、更に編集を行うことが出来るデータ記録再生装置が存在する。また、光ディスクの代表例として記録型ＤＶＤ(Digital Versatile Disc)が挙げられる。この記録型ＤＶＤは、直径１２ｃｍの円盤状の記録媒体である。記録層が単層のものと多層のものがある。一の記録層毎に約４．７ＧＢの記録容量を有しており、この一の記録層で、例えば高画質、高音質で記録できるように高い記録レートで記録するモーであるＳＰモードの場合、約２時間分の映像音声データを記録することが可能である。
【０００３】
しかし、例えば映画などのような２時間を超える連続する映像音声データを一の記録層に記録しようとすると、上記ＳＰモード時のように高い記録レートでは記録容量が４．７ＧＢを超えてしまう。従って、連続記録したい映像音声データの総記録容量が４．７ＧＢに納まるように記録レートを落とさなければならず、満足のいく高画質、高音質の映像音声をユーザに提供することが出来なくなる。
【０００４】
上記したような２時間を超える連続する映像音声データを高画質、高音質で記録するには、従来のデータ記録再生装置では、複数の記録型ＤＶＤに記録することになる。しかし、この２時間を超える連続する映像音声データを記録した複数の記録型ＤＶＤは、それぞれ、自分自身に記録されている映像音声データの管理はできるが、他の記録型ＤＶＤに記録されている映像音声データに関しては管理することができない。従って、連続する映像音声データを複数の記録型ＤＶＤに記録したとしても、お互いに自分自身以外の他の記録型ＤＶＤに対しての情報が得られないので有効な管理が出来ないという問題があった。
【０００５】
上記問題を鑑みて、例えば特許文献１や特許文献２では、複数の光ディスクをカートリッジに収めたディスクチェンジャーや複数のディスクドライブにそれぞれディスクをセットして記録管理を行う方法が提案されている。
【特許文献１】特開２００２−１５７８２４号公報
【特許文献２】特開２００４−１２７４７１号公報
【発明の開示】
【発明が解決しようとする課題】
【０００６】
しかしながら、上記した従来の方法でも、カートリッジ単位の管理しか出来ないという課題が残る。
また、ディスクチェンジャーや複数ドライブが必要となり、装置規模が大きくなってしまうので、カムコーダ等のモバイル装置には応用できないという課題がある。
【０００７】
本発明は、上記課題を解決するために成されたもので、その目的は、映像データを複数の記録媒体に跨って記録した場合でも、正しく再生することができる映像データ再生装置および映像データ再生方法を提供することにある。
【課題を解決するための手段】
【０００８】
上記課題を解決するために本発明の映像データ再生装置は、装着された記録媒体から映像データと、その管理情報とを読み出し再生する再生手段と、上記再生手段によって上記記録媒体より読み出された上記管理情報に基づいて上記再生手段による上記映像データの再生を制御する再生制御手段とを有し、上記再生制御手段は、上記再生手段によって上記記録媒体より読み出された上記管理情報に、上記記録媒体より１つ前である前記録媒体の記録媒体識別情報と、上記前記録媒体に記録される上記映像データである前記録媒体データのデータ識別情報と、上記記録媒体の次である次記録媒体の記録媒体識別情報と、上記次記録媒体に記録される次データのデータ識別情報とが含まれている否かを判断し、上記管理情報に、上記次記録媒体の記録媒体識別情報と、上記次データのデータ識別情報とが含まれている一方、上記前記録媒体の記録媒体識別情報と、上記前データのデータ識別情報とが含まれていない場合、上記管理情報に含まれるディスク内管理情報に基づいて上記再生手段による上記映像データの再生を開始させ、上記映像データの再生が終了間近になった場合、上記管理情報に含まれている上記次記録媒体の記録媒体識別情報と上記次データのデータ識別情報とに基づき上記次の記録媒体の特定情報を生成して表示する。なお、本発明における映像データとは、音声データを含む映像データでも、音声データを含まない映像データのどちらでも良い。
【０００９】
ここで、上記再生制御手段は、上記再生手段によって上記記録媒体より読み出された上記管理情報に、上記前記録媒体の記録媒体識別情報と、上記前データのデータ識別情報と、上記次記録媒体の記録媒体識別情報と、上記次データのデータ識別情報とが含まれている場合、上記前記録媒体の記録媒体識別情報と、上記前データのデータ識別情報と、上記前記録媒体より読み出し記憶しておいた上記次記録媒体の記録媒体識別情報と、上記次データのデータ識別情報とをそれぞれ比較し、一致している場合、上記管理情報に含まれるディスク内管理情報に基づいて上記再生手段による上記映像データの再生を開始させ、上記映像データの再生が終了間近になった場合、上記管理情報に含まれている上記次記録媒体の記録媒体識別情報と上記次データのデータ識別情報とに基づき上記次の記録媒体の特定情報を生成して表示する、ようにしても良い。また、上記再生制御手段は、上記再生手段によって上記記録媒体より読み出された上記管理情報に、上記前記録媒体の記録媒体識別情報と、上記前データのデータ識別情報とが含まれている一方、上記次記録媒体の記録媒体識別情報と、上記次データのデータ識別情報とが含まれていない場合、上記前記録媒体の記録媒体識別情報と、上記前データのデータ識別情報と、上記前記録媒体より読み出し記憶しておいた上記次記録媒体の記録媒体識別情報と、上記次データのデータ識別情報とをそれぞれ比較し、一致している場合、上記管理情報に含まれるディスク内管理情報に基づいて上記再生手段による上記映像データの再生を開始させる、ようにしても良い。また、上記再生制御手段は、上記前記録媒体の記録媒体識別情報と、上記前データのデータ識別情報と、上記前記録媒体より読み出し記憶しておいた上記次記録媒体の記録媒体識別情報と、上記次データのデータ識別情報とをそれぞれ比較し、一致しない場合、連続再生でないことを示す警告表示を実行させる、ようにしても良い。また、上記記録媒体に、少なくとも、上記前記録媒体の記録媒体識別情報と、上記前データのデータ識別情報と、上記前データの代表画像である前代表画像と、その前代表画像を識別するための前代表画像識別情報とが記録されているか、あるいは、上記次記録媒体の記録媒体識別情報と、上記次データのデータ識別情報と、上記次データの代表画像である次代表画像と、その次代表画像を識別するための次代表画像識別情報とが記録されており、上記再生制御手段は、上記再生手段によって上記装着された記録媒体より、少なくとも、上記前記録媒体の記録媒体識別情報と、上記前データのデータ識別情報と、上記前代表画像識別情報と、あるいは、上記次記録媒体の記録媒体識別情報と、上記次データのデータ識別情報と、上記次代表画像識別情報とが読み出された場合、上記装着された記録媒体に記録されている映像データの代表画像を現代表画像として上記再生手段に表示させると共に、読み出された少なくとも上記前代表画像識別情報あるいは上記次代表画像識別情報に基づいて少なくとも上記前代表画像と上記次代表画像とのいずれか一方を上記再生手段に表示させ、かつ、読み出された上記前記録媒体の記録媒体識別情報と、上記前データのデータ識別情報と、あるいは、上記次記録媒体の記録媒体識別情報と、上記次データのデータ識別情報とに基づいて、上記現代表画像と、少なくとも上記前代表画像と上記次代表画像との少なくともいずれか一方との連続関係を上記再生手段に表示させる、ようにしても良い。
【００１０】
また、本発明の映像データ再生方法は、装着された記録媒体から映像データの管理情報を読み出すステップと、上記記録媒体より読み出された上記管理情報に、上記記録媒体より１つ前の前記録媒体の記録媒体識別情報と、上記前記録媒体に記録される前データのデータ識別情報と、上記記録媒体の次の次記録媒体の記録媒体識別情報と、上記次データのデータ識別情報とが含まれている否かを判断するステップと、上記管理情報に、上記次記録媒体の記録媒体識別情報と、上記次データのデータ識別情報とが含まれている一方、上記前記録媒体の記録媒体識別情報と、上記前データのデータ識別情報とが含まれていない場合、上記管理情報に含まれるディスク内管理情報に基づいて上記映像データの再生を開始させるステップと、上記映像データの再生が終了間近になった場合、上記管理情報に含まれている上記次記録媒体の記録媒体識別情報と上記次データのデータ識別情報とに基づき上記次の記録媒体の特定情報を生成して表示するステップと、を有する映像データ再生方法。
【００１１】
ここで、さらに、上記記録媒体より読み出された上記管理情報に、上記前記録媒体の記録媒体識別情報と、上記前データのデータ識別情報と、上記次記録媒体の記録媒体識別情報と、上記次データのデータ識別情報とが含まれている場合、上記前記録媒体の記録媒体識別情報と、上記前データのデータ識別情報と、上記前記録媒体より読み出し記憶しておいた上記次記録媒体の記録媒体識別情報と、上記次データのデータ識別情報とをそれぞれ比較し、一致している場合、上記管理情報に含まれるディスク内管理情報に基づいて上記映像データの再生を開始させるステップと、上記映像データの再生が終了間近になった場合、上記管理情報に含まれている上記次記録媒体の記録媒体識別情報と上記次データのデータ識別情報とに基づき上記次の記録媒体の特定情報を生成して表示するステップと、を有するようにしても良い。また、さらに、上記記録媒体より読み出された上記管理情報に、上記前記録媒体の記録媒体識別情報と、上記前データのデータ識別情報とが含まれている一方、上記次記録媒体の記録媒体識別情報と、上記次データのデータ識別情報とが含まれていない場合、上記前記録媒体の記録媒体識別情報と、上記前データのデータ識別情報と、上記前記録媒体より読み出し記憶しておいた上記次記録媒体の記録媒体識別情報と、上記次データのデータ識別情報とをそれぞれ比較し、一致している場合、上記管理情報に含まれるディスク内管理情報に基づいて上記映像データの再生を開始させるステップと、を有するようにしても良い。また、上記記録媒体に、少なくとも、上記前記録媒体の記録媒体識別情報と、上記前データのデータ識別情報と、上記前データの代表画像である前代表画像と、その前代表画像を識別するための前代表画像識別情報とが記録されているか、あるいは、上記次記録媒体の記録媒体識別情報と、上記次データのデータ識別情報と、上記次データの代表画像である次代表画像と、その次代表画像を識別するための次代表画像識別情報とが記録されている場合、上記記録媒体より、少なくとも、上記前記録媒体の記録媒体識別情報と、上記前データのデータ識別情報と、上記前代表画像識別情報と、あるいは、上記次記録媒体の記録媒体識別情報と、上記次データのデータ識別情報と、上記次代表画像識別情報とを読み出すステップと、上記記録媒体に記録されている映像データの代表画像を現代表画像として上記再生手段に表示させると共に、読み出された少なくとも上記前代表画像識別情報あるいは上記次代表画像識別情報に基づいて少なくとも上記前代表画像と上記次代表画像とのいずれか一方を表示するステップと、読み出された上記前記録媒体の記録媒体識別情報と、上記前データのデータ識別情報と、あるいは、上記次記録媒体の記録媒体識別情報と、上記次データのデータ識別情報とに基づいて、上記現代表画像と、少なくとも上記前代表画像と上記次代表画像との少なくともいずれか一方との連続関係を表示するステップと、を有するようにしても良い。
【発明の効果】
【００１２】
本発明によれば、記録再生可能な複数の記録媒体に一の映像データが連続して跨って記録された複数の記録媒体より映像データの再生を行なう場合、この複数の記録媒体それぞれに、映像データを分割したデータが記録される前の記録媒体や次の記録媒体の記録媒体の識別情報や、前の記録媒体や次の記録媒体に記録されるデータの識別情報等が記録されているので、これらの記録媒体を再生する場合には、前の記録媒体や次の記録媒体から上記記録識別情報を読み出して利用することにより、映像データが記録された複数の記録媒体間の関連や、複数の記録媒体に記録された映像データ間の関連を容易に把握することができる。
【発明を実施するための最良の形態】
【００１３】
図１は、データ記録装置の一実施例の概略構成図であり、図９は、前述のデータ記録装置で記録した記録媒体を再生する本発明の映像データ再生装置の一実施例の概略構成図である。なお、以降の説明では記録媒体として、記録可能な光ディスク（以下単に光ディスクと呼ぶ）を例として説明するが、光ディスクに限らず、着脱可能な記録媒体であれば、メモリや、ＨＤＤ等であっても良い。また、以下では、映像音声データを一例に説明するが、音声データを含まない映像データであっても勿論適用可能である。
【００１４】
図１に示すデータ記録装置は、映像音声圧縮器１００、記録バッファ１０１、ディスクドライブ１０４、記録制御部１０５、インターフェース１０６（以下Ｉ／Ｆ１０６と称する）で構成される。
【００１５】
入力される映像音声信号は、映像音声圧縮器１００で圧縮処理され、記録バッファ１０１に一旦記録された後に、ディスクドライブ１０４によって、光ディスク１０７の予め設定されている映像音映記録領域に記録される。
【００１６】
記録制御部１０５は、ユーザからの記録開始／停止などの制御指示をＩ／Ｆ１０６を介して制御情報として受信し、この制御情報を基に、映像音声圧縮器１００、記録バッファ１０１、ディスクドライブ１０４を制御することで記録動作を実現する。
【００１７】
図９に示す映像データ再生装置は、再生バッファ１０２、映像音声復号器１０３ディスクドライブ１０４、再生制御部９０５、Ｉ／Ｆ１０６で構成される。
【００１８】
光ディスク１０７の予め設定されている映像音映記録領域に記録されている圧縮された映像音声信号は、ディスクドライブ１０４によって再生され、再生バッファ１０２に一旦記録された後に、映像音声復号器１０３によって伸長処理され、基の映像音声信号として出力される。
【００１９】
制御器１０５は、ユーザからの再生開始／停止などの制御指示をＩ／Ｆ１０６を介して制御情報として受信し、この制御情報を基に、映像音声復号器１０３、記録バッファ１０２、ディスクドライブ１０４を制御することで再生動作を実現する。
【００２０】
なお、ビデオカメラ等のように映像音声データの記録と再生とを同時に実現する映像データ記録再生装置においては、図１に示す映像データ記録装置と、図９に示す映像データ再生装置との双方を有することになる。この場合、同一符号を付している機能ブロックは、共通の機能ブロックとなる。また、記録バッファ１０１及び再生バッファ１０２は、一のバッファを兼用しても良く、記録制御部１０５と再生制御部９０５とは、一の制御部としても勿論よく、映像音声圧縮器１００と映像音声復号器１０３も、一の映像音声圧縮・復号器としても良い。なお、記録バッファ１０１及び再生バッファ１０２はハードディスクドライブや不揮発性のメモリ等大容量の記録媒体であることが望ましい。
【００２１】
なお、ディスクドライブを備えたコンピュータにおいて、本発明に係る記録再生管理を行うソフトウェアプログラムを実行することによって実現しても良い。
【実施例１】
【００２２】
次に、データ記録装置の第１実施例を説明する。
ここでは、データ記録装置及び映像データ再生装置に携帯性を有させることを考慮して、装置に装填可能な光ディスクは１枚のみとし、装置規模が増大してしまう複数の光ディスクの同時装填機構やオートチェンジャー機構などは用いないこととする。従って、光ディスクの交換はユーザが行なうことを前提とする。
【００２３】
［データ記録装置］
まず、図１のデータ記録装置において、長時間の映像音声データを複数の光ディスクに跨って記録する場合の動作について説明する。
【００２４】
ディスクドライブ１０４に光ディスク（１枚目の光ディスクであり先頭ディスクという）１０７が装着されたことを検出した後、リモコン（図示無し）などから記録開始の制御指示信号が入力されると、その制御指示信号がＩ／Ｆ１０６を介して制御情報として記録制御部１０５に供給される。
【００２５】
記録制御部１０５は、Ｉ／Ｆ１０６を介してユーザ等の外部より記録開始の制御指示信号を受信すると、装置内の各機能ブロックそれぞれに対して記録動作を実現させるための各種制御を行なう。
【００２６】
映像音声圧縮器１００は、入力される映像音声データに対して、ＭＰＥＧ等の圧縮符号化処理を施し、この圧縮符号化された映像音声データをビットストリームとして出力する。
【００２７】
記録バッファ１０１は、映像音声圧縮器１００で圧縮符号化された映像音声データを一時記憶する。
【００２８】
また、記録制御部１０５は、１回毎の記録動作で記録する映像音声データに対して、この映像音声データを識別・管理するための名前や識別子等の制御情報（ＩＤ）をそれぞれ個別に割り振り、ディスク内管理情報として記録バッファ１０１の、上記した映像音声データを一時記憶する領域とは独立した別の領域である情報記録領域に一時記憶する。
【００２９】
ここで、記録バッファ１０１の、映像音声データを一時記憶する領域である映像音声記録領域の構造について説明する。
【００３０】
記録バッファ１０一の映像音声記録領域は、図２に示すようなリング構造を仮想的に成している。この映像音声記録領域に、上記圧縮符号化された映像音声データが時計周りに順次記録される。そしてこの記録された映像音声データは、ユーザがディスクを交換するのに要すると想定される時間（以下、猶予時間と呼ぶ）分蓄積した後、ディスクドライブ１０４に出力され、光ディスク１０７に記録される。この猶予時間は例えば３０秒程度とする。
【００３１】
図２で説明すると、ＴＥは、映像音声圧縮器１００から入力される映像音声データの最新の記録位置を示す。そして、ＴＷは、記録された映像音声データがディスクドライブ１０４へ送出される位置を示す。即ち、図２に示される灰色の領域には、まだ光ディスク１０７に記録されていない映像音声データが存在し、白色の領域には既に光ディスク１０７に記録された映像音声データが存在している。従ってこの白色の領域は、映像音声圧縮器１００から新たに入力される映像音声データで上書きしてもよい領域である。
【００３２】
上記の様な記録バッファ１０１を用いて、光ディスク１０７の映像音映記録領域への映像音声データの記録処理が行われている途中で、光ディスク１０７の映像音映記録領域の記録可能な領域が無くなったことを記録制御部１０５が検出した場合、又は、ユーザの指示により光ディスク１０７の排出が指示された場合、記録制御部１０５は記録動作を停止する。これは、記録バッファ１０１からディスクドライブ１０４への映像音声データの出力を停止することを意味する。また、生成されたディスク間管理情報及びディスク内管理情報の管理情報を光ディスク１０７の映像音声記録領域とは別に設定されている情報記録領域に記録する。ここで、ディスク内管理情報とは、その光ディスク１０７に記録された映像音声データ等の記録や再生を管理するアドレス等の管理情報で、公知の情報である。ディスク間管理情報とは、本発明にて新たに設けた新規な情報で、詳細については後述するが、一の連続する映像音声データが分割して複数の光ディスク等の記録媒体に連続して跨って記録される場合の、当該複数の記録媒体の前後関係ないしは関連や、一の連続する映像音声データが分割して記録される場合のデータ間の前後関係ないしは関連を示す情報である。
【００３３】
一方、映像音声圧縮器１００は、圧縮符号化動作を継続し、圧縮した映像音声データを記録バッファ１０１に記録し続ける。
【００３４】
この間に、記録制御部１０５は、記録済みの光ディスク１０７の排出と次に記録する光ディスク（２枚目の光ディスクであり、最後の最終ディスク、または先頭ディスクと最終ディスクとの間の中間ディスクの場合がある。）の装着を促す情報を含むアナウンス画面を生成し、Ｉ／Ｆ１０６を介して、図示しない表示部に表示する。ユーザは表示された情報を基に光ディスクを交換する。
【００３５】
このとき、ユーザが、図２における、ΔＴ１の期間に光ディスク１０７の交換を行うと、灰色領域が上書きされることなく、１枚目の光ディスク１０７の記録を停止した位置ＴＷから、交換した２枚目の光ディスク１０７に記録されることになり、データが途切れることなく映像音声データの記録を実現出来る。
【００３６】
なお、ΔＴ１の期間に２枚目の光ディスク１０７に交換出来なかった場合には、例えば、映像音声圧縮器１００から出力される映像音声データを記録バッファ１０１の位置ＴＷまで記録した後に、圧縮符号化を停止するようにして、光ディスク１０７への未記録期間（図２の灰色領域）の上書きを抑止するようにしてもよい。
【００３７】
［ディスク間管理情報］
続いて、上記で説明したデータ記録装置において、複数の光ディスクに跨る連続記録を行う場合に生成するディスク間管理情報の詳細について説明する。
【００３８】
図３は、複数の光ディスクに跨る連続記録で、２枚の光ディスクＡ，Ｂに渡った場合に、各光ディスクＡ，Ｂに記録された映像音声データを図示したものである。この場合、２枚の光ディスクで連続記録が完了するので、１枚目の光ディスクＡが先頭ディスク、２枚目の光ディスクＢが最終ディスクとなる。なお、光ディスクＡ，Ｂ内に記録されている他の映像音声データを含むすべての映像音声データは、光ディスクＡ，Ｂ毎に別途生成する、光ディスクＡ，Ｂ内に記録されている全ての映像音声データを管理するためのディスク内管理情報で管理する。
【００３９】
図３では、光ディスクＡに最後に記録した映像音声データのデータ識別情報（以下、データ識別情報は適宜“データＩＤ”と略す場合あり。）を"ＢＳ＃ＮＡ"（ＮＡは１以上の値）とし、光ディスクＢに最初に記録された映像音声データのデータＩＤを"ＢＳ＃１"としている。そして、光ディスクＡの"ＢＳ＃ＮＡ"から光ディスクＢの"ＢＳ＃１"にかけて映像音声コンテンツの連続記録を行って、"ＢＳ＃１"の記録の後、停止したことを示している。
【００４０】
データ記録装置は、一の映像音声データの連続記録の為に光ディスクが交換される場合、光ディスクＡを排出する前に、記録中の映像音声データの記録を停止する。そして、この停止した位置から続けて次に装着される光ディスクに記録する際の、お互いのディスク間の連続記録を管理するためのディスク間管理情報を生成し記録するとともに、この排出前の光ディスク内の記録された全ての映像音声データを管理するためのディスク内管理情報を生成し記録する。なお、ディスク間管理情報及びディスク内管理情報を光ディスクに記録する場合は、上記したように、記録バッファ１０１の情報記録領域に一時記憶した後に記録する。なお、一の映像音声データを連続記録する場合、記録バッファ１０１へディスク間管理情報を一時記憶する期間は、連続記録が完了し、例えば、後述する図８に示すように、一枚目の先頭ディスクが再度挿入されて、先頭ディスクのディスク間管理情報として、最終ディスクの情報が記録されるまでが望ましい。
【００４１】
図４はテーブル状に表記したディスク間管理情報の例である。
ディスク間管理情報には、複数の光ディスク間に跨って連続記録されたデータを管理するために、光ディスク１０７をデータ記録装置に装着後、装着された光ディスク毎に光ディスク自身の識別情報（以下、「ディスクＩＤ」と称する。本発明におけるの記録媒体識別情報に相当する。）を決定して、ディスク間管理情報のパラメータとして設定するとともに、自身の光ディスクと連続して前後で繋がっている光ディスクのディスクＩＤ、及びそれらの中で連続記録されている映像音声データのデータ識別情報（以下、「データＩＤ」と称する。本発明におけるデータ識別情報に相当する。）を別途取得してディスク間管理情報のパラメータとして設定する。なお、この取得方法は後述する。
【００４２】
更に、ディスク間管理情報のパラメータとして、連続して記録する映像音声データを識別するためのシーケンス識別情報（以下、「シーケンスＩＤ」と称する。本発明におけるシーケンス識別情報に相当する。）と、その連続する映像音声データが記録されている複数の光ディスクの再生順番を表す再生順番情報（本発明における再生順番情報に相当する。）とを加えている。なお、シーケンスＩＤと、再生順番情報とは任意なもので、省略しても良い。
【００４３】
図４の表中で"−"が記述されている欄は、なにもデータが記録されていないことを示し、空欄は"０"を記録していることを示す。なお、"０"は光ディスクのディスクＩＤ及び光ディスクの映像音声データのデータＩＤに使用しないものとする。
【００４４】
連続する映像音声データを複数の光ディスクに跨って記録する例として、例えば図５に示すような場合が考えられる。これは、図５（ａ）のように一の連続する映像音声データが２枚の光ディスク間のみに跨る場合と、図５（ｂ）のように一の連続する映像音声データが３枚の光ディスクに跨る場合の例である。なお、一の連続する映像音声データが３枚以上の光ディスクに跨る場合は、図５（ｂ）の中間ディスクである光ディスクＢが複数枚になる。
【００４５】
次に、連続する一の映像音声データを、図３に示すように、２枚の光ディスクに跨って記録する場合におけるディスク間管理情報の一例を具体的に説明する。
【００４６】
図３の例において、Ｉ／Ｆ１０６を介してユーザから光ディスクＡの排出の指示を受けるか、光ディスクＡの映像音映記録領域の記録可能な領域が無くなったことを記録制御部１０５が検出した場合、光ディスクＡへの映像音声データの記録を中断するとともに、ディスク間管理情報及びディスク内管理情報を生成し、記録バッファ１０１を介して光ディスクＡの情報記録領域に記録する。
【００４７】
図６は、このときに光ディスクＡに記録されるディスク間管理情報の一例を示している。
【００４８】
記録制御部１０５は、ディスクＡ自身のディスクＩＤとして"ＤＩＤＡ"、ディスクＡ自身に連続記録する映像音声データのデータＩＤとして"ＢＳ＃ＮＡ"を設定する。また、記録制御部１０５は、光ディスクＡ，Ｂに連続記録する一連の映像音声データを示すシーケンスＩＤとして"ＳＩＤ１"、再生順番情報として"１"を設定する。このとき、次に装着される光ディスクＢのディスクＩＤおよび前または次の光ディスクの映像音声データのデータＩＤは、交換前では不明な為、この場合、次の光ディスクＢに関する管理情報は設定出来ない。従って、一時的に連続記録を行うことを示す情報として、"ＮＥＸＴ"を決定し、この"ＮＥＸＴ"を次の光ディスクＢのディスクＩＤおよびデータＩＤとして図６に示すように設定する。なお、ディスクＩＤまたはデータＩＤどちらか一方に"ＮＥＸＴ"を設定して、ディスクＩＤおよびデータＩＤの双方に"ＮＥＸＴ"が設定されたものとみなすようにしても勿論よい。ただし、この例の場合の光ディスクＡは、最初（１枚目）の先頭ディスクであり、次のディスクは存在するもの、前のディスクは存在しないので、前のディスクのディスクＩＤや、前のディスクの映像音声データのデータＩＤ等は設定されない。
【００４９】
よって、この光ディスクＡを再生した場合、図６に示すように、ディスク間管理情報として、少なくとも自身のディスクＩＤや次のディスクのディスクＩＤやデータＩＤ等が記録されているもの、前のディスクのディスクＩＤやデータＩＤ等が記録されていない場合、この光ディスクＡを本発明の連続記録をした最初の先頭ディスクであると判別できる。
【００５０】
一方、記録バッファ１０１に一時記憶した、光ディスクＡに記録したディスク間管理情報は、次の光ディスクＢが装着されるまで消去せずに保存している。
【００５１】
そして、記録制御部１０５は、ディスクドライブ１０４から光ディスクＡが排出され、新たに光ディスクＢが装着されたことを検出すると、光ディスクＢのディスクＩＤを決定しパラメータとして設定するとともに、直前に記録していた光ディスクＡの映像音声データのデータＩＤ"ＢＳ＃ＮＡ"の続きとして、光ディスクＢに記録する映像音声データのデータＩＤを"ＢＳ＃１"と決定しパラメータとして設定する。また、光ディスクＡから続く一連の映像音声データを示すシーケンスＩＤは、光ディスクＡに記録したものと同じ"ＳＩＤ１"をパラメータとして設定する。また、再生順番情報としては、次の再生順番を示す"２"をパラメータとして設定する。以上のようにしてパラメータが設定された、光ディスクＢに記録するディスク間管理情報は、図７に示すようになる。なお、図６に示す光ディスクＡの場合のディスク間管理情報と同様に、シーケンスＩＤ"ＳＩＤ１"と、再生順番情報"２"は省略してもよい。また、この例の場合、光ディスクＢは、連続記録が完了する最後の最終ディスクであり、次の光ディスクが存在しないので、次の光ディスクのディスクＩＤや映像音声データのデータＩＤ等は設定されない。
【００５２】
よって、この光ディスクＢを再生した場合、図７に示すように、ディスク間管理情報として、少なくとも自身のディスクＩＤや前のディスクのディスクＩＤやデータＩＤ等のディスク間管理情報が記録されているもの、次のディスクのディスクＩＤやデータＩＤ等が記録されていない場合には、この光ディスクＢを本発明の連続記録をした最後の最終ディスクであると判別できる
【００５３】
なお、光ディスクＡの場合と同様に、記録制御部１０５は、記録バッファ１０１の情報記録領域に光ディスクＢに記録するディスク間管理情報を記録する。
【００５４】
次に、光ディスクＢにデータＩＤ"ＢＳ＃１"の映像音声データの記録が終了した後、光ディスクＢをディスクドライブ１０４から排出し、再度光ディスクＡを装着することにより、記録制御部１０５は、前回不完全のまま記録されている光ディスクＡのディスク間管理情報に、次の光ディスクＢの管理情報を設定する。
【００５５】
図８は、再度光ディスクＡを装着した場合に光ディスクＡに記録されたディスク間管理情報の一例を示している。
【００５６】
つまり、データ記録装置のディスクドライブ１０４に光ディスクＡが再装着されると、記録制御部１０５は、光ディスクＡに記録されているディスク間管理情報と、記録バッファ１０４に記録されている光ディスクＡのディスク間管理情報のディスクＩＤとを比較する。記録制御部１０５は、光ディスクＡが光ディスクＢの前に記録された光ディスクであって同じシーケンスＩＤの映像音声データが記録された連続記録された先頭ディスクであることを認証すると、記録バッファ１０１に記録されている光ディスクＢのディスク間管理情報のうち、光ディスクＢのディスクＩＤ"ＤＩＤＢ"と、そのデータＩＤ"ＢＳ＃１"が、光ディスクＡのディスク間管理情報中の次の光ディスクに関するディスク間管理情報として上書きして設定される。
【００５７】
図８は、上記のようにして、光ディスクＡを再装着した時に記録したディスク間管理情報の設定例を示す図である。再装着前は次に連続記録されることを示すディスクＩＤである"ＮＥＸＴ"が設定されていた次の光ディスクのディスクＩＤおよびデータＩＤを示す欄に、それぞれ光ディスクＢのディスクＩＤである"ＤＩＤＢ"と、光ディスクＡから連続している映像音声データのデータＩＤである"ＢＳ＃１"が設定される。なお、光ディスクＡは、再挿入されても、最初の先頭ディスクであることに変わりは無く、前のディスクが存在しないので、前のディスクのディスクＩＤや、前のディスクの映像声データのＩＤ等は設定されない。よって、再生の際、ディスク間管理情報として、前のディスクのディスクＩＤや、前のディスクの映像音声データのデータＩＤ等がディスクに記録されていない場合には、先頭ディスクであると判別できる。
【００５８】
以上のように、本発明のデータ記録装置では、連続して映像音声データを記録する場合、交換時に装着される各光ディスクに、連続記録をする前後のディスクや映像音声データとの関係を示すディスク間管理情報として、自身のディスクのディスクＩＤやデータＩＤ等だけでなく、前後のディスクのディスクＩＤやデータＩＤ等を記録するようにしたので、複数枚の光ディスクに跨って一の映像音声データを連続記録しても、各光ディスクのディスク間管理情報を参照することにより、連続記録をする前後のディスクや映像音声データの連続関係を認識することができる。
【００５９】
ここで、光ディスク１０７それぞれの識別に用いるディスクＩＤは、光ディスク１０７出荷時に製造業者が予め光ディスク１０７に記録する情報でもよいし、ディスクドライブ１０４に光ディスク１０７を装着した時に、ディスクドライブが未光ディスクと検出し、一意のディスクＩＤを記録するようにしてもよい。例えば、製造業者番号やシリアルナンバー等のディスクドライブが固有に持っている識別可能な情報や、あるいはデータ記録装置で発生する乱数や記録開始日時の時刻情報、またデータ記録装置内にて不揮発性のメモリを設置し、その中に未光ディスクを装着した時に割り当てる番号を記録しておき、上述の情報と組み合わせることで、ディスクＩＤの割り当てを実現しても良い。
【００６０】
また、ディスク交換時に、映像音声データの記録を終了した１枚目の光ディスク１０７を排出する前に、次に装着する２枚目の光ディスク１０７が未光ディスクである場合、予め２枚目の光ディスク１０７のディスクＩＤをディスクドライブ１０４が現在装着されている１枚目の光ディスク１０７とは異なるディスクＩＤを上記した方法等で割り当て、更に２枚目の光ディスク１０７に連続記録する映像音声データのＩＤも"ＢＳ＃１"として予め割り当て、次に装着される２枚目の光ディスク１０７に記録するようにしてもよい。この場合、１枚目の光ディスク１０７を排出する時に、そのディスク間管理情報に次の光ディスク１０７のディスクＩＤが記録されるので、２枚目の光ディスク１０７を記録した後に１枚目の光ディスクを再装着して、ディスク間管理情報を更新する必要が無くなり、複数に跨るディスク間管理をより容易に行うことが可能となる。
【００６１】
上記説明では、図４や、図６〜図８に示すように、ディスク間管理情報を表として示して説明したが、実際に光ディスクに記録する場合には、図１１に示すようなパラメータ群manageInfoAmongDiscs( )をディスク間管理情報として規定し、光ディスク１０７に記録すると共に、記録バッファ１０１に記憶する。manageInfoAmongDiscs( )の各パラメータは、図４や、図６〜図８で示された表の各欄の識別情報（ＩＤ）と対応している。
【００６２】
例えば、図１１で示すような順でシンタックスを定義し、各パラメータに８バイトを割り当てるようにして、合計８８バイトの情報を光ディスクにディスク間管理情報として記録する。つまり、図１１において、"current＿disc＿ID"は、現在装着され記録される光ディスクのディスクＩＤ、"previous＿disc＿ID"は、現在の光ディスクの前に装着され連続記録される光ディスクのディスクＩＤ、"previous＿date＿ID"は、現在の光ディスクの前に装着され記録された光ディスクに記録されたデータのデータＩＤ、"current＿date＿ID1"は、"previous＿date＿ID"で示されるデータから連続して現在の光ディスクに記録される映像音声データのデータＩＤ、"sequence＿ID1"は、現在と前の光ディスクに跨って記録された映像音声データの識別情報であるシーケンスＩＤ、"play＿order1"は、現在と前の光ディスクに跨って記録された映像音声データの再生順番情報、"next＿disc＿ID"は、現在の光ディスクの次に装着される光ディスクのディスクＩＤ、"next＿date＿ID"は、現在の光ディスクの次に装着される光ディスクに記録される映像音声データのデータＩＤ、"current＿date＿ID2"は、"next＿date＿ID"で示されるデータの前に連続して現在の光ディスクに記録される映像音声データのデータＩＤ、"sequence＿ID2"は、現在と次の光ディスクに跨って記録される映像音声データを識別するシーケンスＩＤ、"play＿order2"は、現在と次の光ディスクに跨って記録される現在の光ディスクの再生順番情報である。なお、前或いは次の光ディスクへの連続記録が無い場合には、パラメータとして、例えば、"０"を記録するものとし、記録の規則として光ディスクのディスクＩＤや光ディスクに記録される映像音声データのデータＩＤには"０"を使用しないものとして運用する。
【００６３】
なお、上記説明は、２枚の光ディスクに跨って連続する映像音声データを記録する場合の例であるが、３枚以上の光ディスクに跨って記録する場合も同様の動作の流れで記録が可能である。
【００６４】
以下に、例えば、ＤＶＤやブルーレィディスク等の光ディスクに撮影した撮像データを記録するビデオカメラ等のデータ記録装置において、複数枚の光ディスクに跨って撮像した映像音声データを一の連続するデータとして記録する際の処理の一例について説明する。
【００６５】
図１５は、本実施例のデータ記録装置をビデオカメラ等に採用した場合における連続記録の経過概要の一例を示す図である。
【００６６】
図１５は、撮影した一の連続した映像音声データを複数枚の光ディスクに跨って連続記録・再生することを前提にしている。ビデオカメラ等のデータ記録再生装置では、現在記録している光ディスクの記録容量が無くなっても、現在記録している撮影データを途切れることなく連続して次の光ディスクに記録する必要がある。そこで、本実施例のデータ記録装置では、現在記録している光ディスクの記録容量が無くなっても、記録バッファ１０１に記録を継続し、前の光ディスク１０７の記録が終了した時点から記録バッファ１０１に記録・蓄積される撮影データが上書きされる前に、光ディスク１０７を交換して、次の光ディスク１０７に、前の光ディスク１０７の記録が終了した時点からの撮影データを途切れることなく記録して、ディスク間で連続記録を実現する。なお、記録バッファ１０１はバッファメモリであることを前提にしているが、ＨＤＤでも勿論よい。
【００６７】
そのため、本実施例のデータ記録装置では、図１５に示すように、現在記録している光ディスク１０７の残容量がなくなる前、すなわち残容量が所定量になった時点Ｔ１で、例えば、“間もなくディスク＃ｍの記録容量が無くなるので、連続記録をする場合、ディスク交換の用意をお願いします”等の意のディスク交換の用意を促す警告表示を行う。
【００６８】
次に、本実施例のデータ記録装置では、図１５に示すように、現在記録している光ディスク１０７の残容量がなくなった時点Ｔ２で、例えば、“ディスク＃ｍの記録容量が無くなりましたので、連続記録をする場合、すぐにディスク交換をお願いします”等の意のディスク交換を促す警告表示を行う。
【００６９】
図１５において、Ｔ２以降は、記録バッファ１０１に撮影データが記録され、Ｔ３は記録バッファ１０１に撮影データが上書きされない上限時間を示している。よって、Δｔ＝Ｔ３−Ｔ２が記録バッファ１０１に撮影データが上書きされずに記録できるディスク交換猶予時間である。
【００７０】
つまり、本実施例のデータ記録装置では、ディスク間で記録内容が途切れることなく記録するため、現在記録中のディスク＃ｍの記録が終了し、ディスク＃ｍにディスク内管理情報およびディスク間管理情報の記録、ディスク＃ｍの排出、次のディスク＃ｎ（ｎ＝ｍ＋１）に交換して、ディスク＃ｎへの記録が再開されるまでの時間が、図１５に示すディスク交換猶予時間ΔＴを超えなければよい。
【００７１】
次に、図１６のフローチャートを用いて、本実施例の映像データ記録装置がビデオカメラとした場合の記録動作の一例を説明する。なお、この説明における動作の主体は記録制御部１０５である。
【００７２】
まず、本装置のデータ記録装置では、記録制御部１０５は、１枚目の光ディスクが装着されたことを検出し（ステップＳ３０１“ＹＥＳ”）、ユーザより記録開始指示が入力されたことを検出すると（ステップＳ３０２“ＹＥＳ”）、連続する映像音声データである撮影データの記録を開始する（ステップＳ３０３）。
【００７３】
そして、記録制御部１０５は、この記録処理中は、まず、図１５に示す時点Ｔ１になるか否か、すなわち現在記録している光ディスク１０７の残容量が所定残容量以下になるか否かを判断し（Ｓ３０４）、光ディスク１０７の残容量が所定量以下になった場合（Ｓ３０４“ＹＥＳ”）、上述したように、例えば、“間もなくディスク＃ｍの記録容量が無くなるので、連続記録をする場合、ディスク交換の用意をお願いします”等の意のディスク交換の用意を促す警告表示を行う（Ｓ３０５）。なお、ここで、その警告表示により、ユーザが現在のディスクの記録を終了し、連続記録を続行することを選択または指示した場合には、後述するＳ３１３の処理に移行する。
【００７４】
次に、記録制御部１０５は、Ｓ３０５の警告表示でも、何らユーザよりディスクの交換等の操作がないと判断した場合は、続いて図１５に示す時点Ｔ２になるか否か、すなわち現在記録している光ディスク１０７の残容量が０になるか否かを判断し（Ｓ３０６）、光ディスク１０７の残容量が０になった場合（Ｓ３０６“ＹＥＳ”）、上述したように、例えば、“ディスク＃ｍの記録容量が無くなりましたので、連続記録をする場合、すぐにディスク交換をお願いします”等の意のディスク交換を促す警告表示を行う（Ｓ３０７）。
【００７５】
次に、記録制御部１０５は、その警告表示により、ユーザが現在のディスクの記録を終了し、連続記録を続行することを選択するか否かを判断する（Ｓ３０８）。
【００７６】
ここで、ユーザから連続記録続行の指示が入力しない場合や、ディスク１０７への記録終了信号が入力した場合（Ｓ３０８“Ｎｏ”）、記録制御部１０５は、続いて、今までの記録が複数枚のディスクへの連続記録であるか否かを判断し（Ｓ３０９）、今までの記録が複数枚のディスクへの連続記録の場合のみ（Ｓ３０９“ＹＥＳ”）、上述した本実施例特有のディスク間管理情報を生成して、その光ディスク１０７に記録する（Ｓ３１０）。ただし、ここで記録するディスク間管理情報は、次に連続記録する光ディスク１０７がない場合であるで、図７に示すように次のディスクのディスクＩＤやデータＩＤ等のディスク間管理情報がない最終ディスクのディスク間管理情報となる。
【００７７】
そして、今までの記録が複数枚のディスクへの連続記録の場合も（Ｓ３０９“ＹＥＳ”）、複数枚のディスクへの連続記録でない場合も（Ｓ３０９“Ｎｏ”）、記録制御部１０５は、続いて、上述した従来と同様のディスク内管理情報を生成して、その光ディスク１０７に記録して（Ｓ３１１）、光ディスク１０７への記録を停止する（Ｓ３１２）。なお、Ｓ３０９、Ｓ３１０、Ｓ３１１の処理の順序は、必ずしもこの順序である必要はなく、先に、Ｓ３１１の処理を行い、その後に、Ｓ３０９、Ｓ３１０の処理を行うようにしても勿論よい。
【００７８】
これに対し、ユーザから連続記録続行の指示が入力した場合（Ｓ３０８“ＹＥＳ”）、記録制御部１０５は、Ｓ３１０と同様に、上述した本実施例特有のディスク間管理情報を生成して、その光ディスク１０７、および記録制御部１０５ないしは本装置内の記録バッファ１０１に記録すると共に（Ｓ３１３）、Ｓ３１１と同様にディスク内管理情報を生成して、その光ディスク１０７に記録する（Ｓ３１１）。ただし、このＳ３１３にて光ディスク１０７に記録するディスク間管理情報は、次に連続記録する光ディスク１０７がある場合であるで、Ｓ３１０にて記録するディスク間管理情報とは異なり、図６等に示すように次のディスクについてのディスク間管理情報がある先頭ディスク、または図示していないが前のディスクおよび次のディスクについてのディスク間管理情報がある、中間ディスクのディスク間管理情報となる。なお、Ｓ３１３、Ｓ３１４の処理の順序は、必ずしもこの順序である必要はなく、先に、Ｓ３１４の処理を行い、その後にＳ３１３の処理を行うようにしても勿論よい。
【００７９】
そして、記録制御部１０５は、現在の光ディスク１０７の記録を停止すると共に、その光ディスク１０７を排出し（Ｓ３１５）、続いて次の光ディスク１０７が装着されるか否かを判断する（Ｓ３１６）。次の光ディスク１０７が装着された場合（Ｓ３１６“ＹＥＳ”）、続いて図１５に示す上述のディスク交換猶予時間ΔＴ以内に次のディスクの交換が完了したか否かを判断すると共に（Ｓ３１７）、ユーザより次のディスクへの記録開始指示が入力したか否かを判断する（Ｓ３１８）。
【００８０】
ここで、ディスク交換猶予時間ΔＴ以内に次のディスクの交換が完了し（Ｓ３１７“ＹＥＳ”）、ユーザより次のディスクへの記録開始指示が入力した場合（Ｓ３１８“ＹＥＳ”）、記録制御部１０５は、上述のＳ３０３に戻り、次の光ディスク１０７について連続記録を続行する。これに対し、ディスク交換猶予時間ΔＴ以内に次のディスクの交換が完了していない場合（Ｓ３１７“Ｎｏ”）、およびディスク交換猶予時間ΔＴ以内に次のディスクの交換が完了しても（Ｓ３１７“ＹＥＳ”）、ユーザより次のディスクへの記録開始指示が入力しない場合（Ｓ３１８“ＹＥＳ”）、記録制御部１０５は、処理を終了する。なお、このＳ３１７およびＳ３１８の処理は、省略して、次のディスク１０７が装着された場合（Ｓ３１６“ＹＥＳ”）、直接、上述のＳ３０３に戻り、次の光ディスク１０７について連続記録を続行するようにしても勿論よい。
【００８１】
このように、第１実施例のデータ記録装置によれば、映像音声データを複数の光ディスク１０７に跨って記録する場合、この複数の光ディスク１０７それぞれについて、現在装着されている光ディスク１０７のディスクＩＤとそれに記録される映像音声データのデータＩＤだけでなく、前の光ディスク１０７または次の光ディスク１０７が存在すれば、前の光ディスク１０７または次の光ディスク１０７のディスクＩＤとそれらに記録される映像音声データのデータＩＤもディスク間管理情報として記録するようにしたので、これらの光ディスク１０７を再生する場合には、装着された光ディスク１０７より前の光ディスクや次の光ディスクのディスクＩＤやデータＩＤ等のディスク間管理情報を読み出して、このディスク間管理情報の各パラメータを照合することにより、映像音声データが連続して跨って記録されている複数の光ディスク１０７を順番を間違えずに再生することができる。
【００８２】
特に、第１実施例では、ディスク間管理情報として、さらに、映像音声データを識別するためのシーケンスＩＤと、映像音声データが跨って記録されている複数の光ディスク１０７における再生順番を示す再生順番情報とをさらに設定するようにしたので、これらの光ディスク１０７を再生する場合には、装着された光ディスク１０７よりこれらの録媒体間管理情報をさらに読み出して、このディスク間管理情報の各パラメータを照合することにより、映像音声データが跨って記録されている複数の光ディスク１０７をより確実に再生することができる。
【００８３】
［映像データ再生装置］
次に、上記データ記録装置によって、複数の光ディスクに跨って記録されている連続する映像音声データとともに、ディスク間管理情報及びディスク内管理情報が記録されている、それぞれの光ディスクを、図９に示すような本発明の映像データ再生装置において再生する場合の動作について説明する。
【００８４】
例えば、この映像データ再生装置では、再生制御部９０５がこの再生バッファ１０２の情報記録領域に一時記憶しておいたディスク内管理情報及びディスク間管理情報を読み出し、ディスク間管理情報が記録されている場合、このディスク内管理情報及びディスク間管理情報の各パラメータを基に、この光ディスク１０７に記録されている映像音声データの一覧情報を後述する図１３，図１４等に示すような映像リストを生成し、Ｉ／Ｆ１０６を介して、図示しない表示部に表示する。
【００８５】
ユーザは、表示された一覧情報を基に、再生したい映像音声データをＩ／Ｆ１０６を介して選択する。ここでは、選択される映像音声データは、複数の光ディスクに跨って記録されている連続する映像音声データの最初、または中間部分のデータであるとして以降の説明を行なう。
【００８６】
選択された映像音声データの選択信号は再生制御部９０５に送信され、再生制御部９０５はディスク内管理情報及びディスク間管理情報を基に、選択された映像音声データが記録されている光ディスク１０７上の位置（アドレス）情報をディスクドライブ１０４に送信する。ディスクドライブ１０４は、受信したアドレス位置から再生を開始することで、選択された映像音声データを読み出し、再生バッファ１０２に出力する。再生バッファ１０２は、ディスクドライブ１０４から出力される圧縮映像音声データを、上記した情報記録領域とは独立した別の領域である映像音声記録領域に一時記憶する。
【００８７】
映像音声復号器１０３は、再生バッファ１０２の映像音声記録領域に一時記憶されている映像音声データを読み出し、復号して通常の映像音声データを生成し出力する。
ここで、再生バッファ１０２の映像音声記録領域の構造について説明する。
【００８８】
再生バッファ１０２の映像音声記録領域は、前述した記録バッファ１０１と同様に、図１０に示すようなリング構造を仮想的に成している。そしてこの記憶領域に、ディスクドライブ１０４から読み出された圧縮映像音声データが時計周りに順次記憶される。
【００８９】
図１０で示す再生バッファ１０２の映像音声記憶領域において、ＴＲはディスクドライブ１０４から読み出された映像音声データの最新の記録位置を示す。そして、ＴＤは、記録された映像音声データが映像音声復号器１０３に送出される位置を示す。即ち、図１０に示される灰色の領域には、まだ映像音声復号器１０３に出力されていない映像音声データが存在し、白色の領域には既に映像音声復号器１０３に出力され再生された映像音声データが存在している。従って、この白色の領域は、ディスクドライブ１０４から新たに入力される映像音声データで上書きしてもよい領域である。
【００９０】
上記の様な再生バッファ１０２を用いて、光ディスク１０７からの再生処理が行われる。そして、選択された映像音声データが、全て読み出された場合、記録制御部１０５は再生動作を停止する。これは、再生バッファ１０１への映像音声データの出力をＴＲの位置で停止することを意味する。
【００９１】
一方、映像音声復号器１０３は、復号動作を継続し、復号された映像音声データを出力し続ける。
【００９２】
この間に、記録制御部１０５は、連続再生を継続させる為に、現在装着されている光ディスクのディスク間管理情報から次に再生する光ディスク（２枚目の光ディスク）のディスクＩＤを読み取り、再生済みの光ディスクの排出と次に再生する光ディスク（２枚目の光ディスク）の装着を促す情報と上記した２枚目のディスクＩＤの情報とを含んだアナウンス画面を生成し、Ｉ／Ｆ１０６を介して、図示しない表示部に表示する。ユーザは、表示された情報を基に次に再生すべき光ディスクを特定できるので、この特定した光ディスクに交換する。そして、２枚目の光ディスクが装着されたことを検出したら、この光ディスクからディスク間管理情報を読み込み、この光ディスクのディスクＩＤとディスク再生バッファ１０２の情報記録領域に記録されている１枚目の光ディスクのディスク間管理情報の次の光ディスクのディスクＩＤとを比較する。この比較の結果、ディスクＩＤが一致し、２枚目の光ディスクであることを認証すると、この２枚目の光ディスクからディスク内管理情報を読み出し、再生バッファ１０２の情報記録領域に一時記憶する。
【００９３】
そして、再生バッファ１０２の情報記録領域に一時記憶されている１枚目又は２枚目の光ディスクのディスク間管理情報を用いて、１枚目の光ディスクから連続してこの２枚目の光ディスクに記録されている映像音声データのIDを特定し、２枚目の光ディスクのディスク内管理情報を用いて、特定したIDに該当する映像音声データをサーチし、この映像音声データの先頭から自動的に再生を開始する。
【００９４】
このとき、ユーザが、図１０における、ΔＴ２の期間に光ディスク交換を行うと、灰色領域が上書きされることなく、１枚目の光ディスクの再生を停止した位置ＴＲから、交換した２枚目の光ディスクに記録されることになり、データが途切れることなく映像音声データの再生を実現出来る。
【００９５】
なお、ΔＴ２の期間に２枚目の光ディスクに交換出来なかった場合には、例えば、映像音声復号器１０３に出力する映像音声データを再生バッファ１０２の位置ＴＲまで読み出し、復号を停止するようにして、光ディスクへの未再生期間（図１０の灰色領域）の上書きを抑止するようにしてもよい。
【００９６】
なお、上記説明は、２枚の光ディスクに跨って記録されている連続する映像音声データを再生する場合の例であるが、３枚以上の光ディスクに跨って記録されている連続する映像音声データを再生する場合も同様の動作の流れで再生が可能である。
【００９７】
以下に３枚以上の光ディスクに跨って記録されている連続する映像音声データを再生する際の処理の流れを図１７〜図２０のフローチャートを用いて説明する。なお、この説明における動作の主体は、図９に示す映像データ再生装置の再生制御部９０５である。
【００９８】
まず、図９に示す映像データ再生装置では、ディスクドライブ１０４に光ディスク１０７が装着されると（Ｓ４０１“ＹＥＳ”）、再生制御部９０５は、その光ディスク１０７に書き込まれている上述のディスク間管理情報を読み込みにいき（Ｓ４０２）、その光ディスク１０７にディスク間管理情報が記録されているか否かを判断する（Ｓ４０３）。これにより、装着された光ディスク１０７が、一枚、一枚、映像音声データ等が記録された通常の光ディスク１０７であるか、上述した本実施例のデータ記録装置等により一の映像音声データを分割して記録した複数枚の光ディスク１０７のいずれかであるかを判断することができる。また、一の映像音声データが分割して記録された複数枚の光ディスクの再生順番は、後述するように、読み込んだディスク間管理情報に、前のディスクに関するディスク間管理情報あるか、次のディスクに関するディスク間管理情報あるか否かと、前のディスク装着時に読み込んだ次のディスクのディスク間管理情報と、今回装着されたディスクに記録されている前のディスクに関するディスク間管理情報とを比較することにより、識別することができる。なお、ディスク間管理情報の再生順番情報（図６〜図８等参照。）を確認することによっても、複数枚の光ディスク１０７の再生順番、すなわち１枚目の先頭ディスクなのか、あるいは２枚目、３枚目なのかを知ることができる。なお、ディスク間管理情報のシーケンスＩＤ（図６〜図８等参照。）は、その光ディスク１０７に記録されている映画や番組のコンテンツデータの識別のための情報であるで、この例のように、撮影データを対象とする場合には、基本的には不要なデータで、省略されていても良い。再生順番情報も同様に省略されていても良い。
【００９９】
ここで、装着された光ディスク１０７にディスク間管理情報が記録されていないと判断した場合（Ｓ４０３”Ｎｏ”）、その光ディスク１０７が、一枚、一枚、撮影データが記録された通常の光ディスク１０７である場合であるで、再生制御部９０５は、従来の場合と同様に、ユーザの指示に応じてその光ディスク１０７に書き込まれたディスク内管理情報を読み込み（Ｓ４０５）、ディスク内管理情報に基づいてユーザの指示に応じた撮影データの再生を開始し（Ｓ４０６）、その撮影データの再生が終了するまで、あるいはユーザから再生停止の指示が入力するまで（Ｓ４０７”Ｎｏ”）、再生を続ける。そして、ユーザの指示に応じた撮影データの再生が終了、またはユーザより再生停止指示が入力した場合（Ｓ４０７“ＹＥＳ”）、その光ディスク１０７の再生を停止する（Ｓ４０８）。なお、この後は、ユーザの指示に従い、ディスクの排出等を行っても良い。なお、Ｓ４０３以降のＳ４０４〜Ｓ４０８の処理は、一枚、一枚、撮影データ等のコンテンツデータが記録された通常の光ディスク１０７の従来と同様の再生処理手順の一例である。
【０１００】
これに対し、Ｓ４０３の判断処理で、装着された光ディスク１０７にディスク間管理情報が記録されていると判断した場合（Ｓ４０３“ＹＥＳ”）、その光ディスク１０７が上述した本実施例のデータ記録装置等により一の映像音声データを分割して記録した複数枚の光ディスク１０７のいずれかであるで、まずは、読み込んだディスク間管理情報の中に、前の光ディスク１０７のディスク間管理情報があるか否かを判断する（Ｓ４０９）。これにより、読み込んだディスク間管理情報の中に前の光ディスク１０７のディスク間管理情報がなければ、１枚目の先頭ディスクであると判別できる。なお、読み込んだディスク間管理情報の中に前の光ディスク１０７のディスク間管理情報があるか否かの代わりに、ディスク間管理情報の中の再生順番情報に“１”が設定されているか否か参照して、１枚目の先頭ディスクであるか否かを判別しても良い。
【０１０１】
ここで、読み込んだディスク間管理情報の中に、前の光ディスク１０７のディスク間管理情報がないと判断した場合（Ｓ４０９”Ｎｏ”）、この光ディスク１０７は、この光ディスク１０７は、連続記録された場合の１枚目の先頭ディスクであるで、図１８に示す１枚目の先頭ディスクについての再生処理へ移行する。なお、読み込んだディスク間管理情報の中に前の光ディスク１０７のディスク間管理情報があるか否かの代わりに、ディスク間管理情報中の再生順番情報を参照して、再生順番情報として１枚目の先頭ディスクであることを示す“１”が設定されていた場合も同様である。
【０１０２】
その一方、読み込んだディスク間管理情報の中に、前の光ディスク１０７のディスク間管理情報があると判断した場合（Ｓ４０９“ＹＥＳ”）、さらに次の光ディスク１０７のディスク間管理情報があるか否かを判断する（Ｓ４１０）。
【０１０３】
そして、読み込んだディスク間管理情報の中に、前の光ディスク１０７のディスク間管理情報もあり（Ｓ４０９“ＹＥＳ”）、次の光ディスク１０７のディスク間管理情報もあると判断した場合（Ｓ４１０“ＹＥＳ”）、現在装着されている光ディスク１０７は３枚以上に連続記録した場合の２枚目等の中間ディスクであるで、図１９に示す中間ディスクの場合の再生処理へ移行する。
【０１０４】
これに対し、読み込んだディスク間管理情報の中に、前の光ディスク１０７のディスク間管理情報もあるもの（Ｓ４０９“ＹＥＳ”）、次の光ディスク１０７のディスク間管理情報がないと判断した場合（Ｓ４１０“Ｎｏ”）、現在装着されている光ディスク１０７は連続記録が完了する最後の最終ディスクであるで、図２０に示す最終ディスクの場合の再生処理へ移行する。
【０１０５】
図１８は、図１７のＳ４０９の”Ｎｏ”の判断に続く、１枚目の先頭ディスクの再生処理手順を示すフローチャートである。
【０１０６】
つまり、図１７のＳ４０９の判断処理にて、”Ｎｏ”と判断された場合、装着された光ディスク１０７は連続記録された場合の１枚目の先頭ディスクの場合であるで、続いてユーザからの再生開始指示の入力を待ち（Ｓ４１１）、ユーザからの再生開始指示の入力があった場合（Ｓ４１１“ＹＥＳ”）、再生制御部９０５は、ユーザの指示に応じてその光ディスク１０７に書き込まれたディスク内管理情報を読み込み（Ｓ４１２）、ディスク内管理情報に基づいてユーザの指示に応じた撮影データの再生を開始する（Ｓ４１３）。
【０１０７】
そして、再生制御部９０５は、その１枚目の先頭ディスクに記録されている撮影データの再生が、例えば、残り再生時間５分等の再生終了間近になる否かを判断し（Ｓ４１４）、再生終了間近になったと判断した場合（Ｓ４１４“ＹＥＳ”）、ディスク間管理情報に含まれる次ディスク間管理情報（図６等参照）に基づき次のディスクの特定情報である次ディスク識別情報と次データのデータ識別情報とを生成し表示する（Ｓ４１５）。これにより、１枚目の先頭ディスクの再生が終了する前に、次のディスクへの交換の用意をユーザに促す。
【０１０８】
そして、１枚目の先頭ディスクの再生が最後まで終了した場合、あるいはユーザから再生停止の指示が入力した場合（Ｓ４１６“ＹＥＳ”）、再生制御部９０５は、その１枚目の先頭ディスク１０７の再生停止を表示し（Ｓ４１７）、ユーザからの連続再生指示を待機する（Ｓ４１８）。
【０１０９】
ここで、ユーザより連続再生指示が入力しない場合（Ｓ４１８”Ｎｏ”）、再生制御部９０５は、一連の再生処理を終了する一方、ユーザより連続再生指示が入力した場合（Ｓ４１８“ＹＥＳ”）、図１７のＳ４０１の処理に戻り、次のディスクの装着を待機する。
【０１１０】
図１９は、図１７のＳ４１０の“ＹＥＳ”の判断に続く、３枚以上のディスクに連続記録した場合の中間ディスクの再生処理手順を示すフローチャートである。
【０１１１】
つまり、図１７のＳ４１０の判断処理にて、“ＹＥＳ”と判断された場合、装着された光ディスク１０７には、前ディスクについてのディスク間管理情報も、次ディスクについてのディスク間管理情報も記録されている、一の映像音声データが連続記録された場合の中間ディスクの場合であるで、続いてユーザからの再生開始指示の入力を待ち（Ｓ４２０）、ユーザからの再生開始指示の入力があると（Ｓ４２０“ＹＥＳ”）、再生制御部９０５は、まずは、装着された光ディスク１０７から読み取ったディスク間管理情報内の前のディスクのディスクＩＤとデータＩＤが、本装置に記憶しておいたその前に装着された光ディスク１０７から読み取った次のディスクのディスクＩＤとデータＩＤと一致するか否かを判断する（Ｓ４２１）。これにより、今回装着した光ディスク１０７が、その前に装着され再生した光ディスク１０７と連続する光ディスク１０７であるか否かを判断することができる。
【０１１２】
そして、装着された光ディスク１０７から読み取った前のディスクのディスクＩＤとデータＩＤとが、本装置に記憶しておいたその前に装着された光ディスク１０７から読み取った次のディスクのディスクＩＤとデータＩＤと一致していないと判断した場合（Ｓ４２１”Ｎｏ”）、今回装着した光ディスク１０７がその前に装着された再生済みディスクと連続するディスクではないので、再生制御部９０５は、連続再生でないことを示す警告表示を行い（Ｓ４２２）、図１７のＳ４０１の処理に戻り、次の光ディスク１０７の装着を待機する。
【０１１３】
一方、装着された光ディスク１０７から読み取った前のディスクの前ディスクＩＤと前データＩＤが、本装置に記憶しておいたその前に装着された光ディスク１０７から読み取った次のディスクの次ディスクＩＤと次データＩＤに一致している場合（Ｓ４２１“ＹＥＳ”）、今回装着したディスクがその前に装着された再生済みディスクと連続するディスクであるで、再生制御部９０５は、ユーザの指示に応じてその光ディスク１０７に書き込まれたディスク内管理情報を読み込み（Ｓ４２３）、そのディスク内管理情報に基づいてユーザの指示に応じた撮影データの再生を開始する（Ｓ４２４）。
【０１１４】
そして、再生制御部９０５は、再生している撮影データが、例えば、残り再生時間５分等の再生終了間近になる否かを判断し（Ｓ４２５）、再生終了間近になったと判断した場合（Ｓ４２５“ＹＥＳ”）、その再生している中間ディスクにディスク間管理情報（図６等参照）として記録されている次のディスクのディスクＩＤとデータＩＤとに基づいて、次の光ディスク１０７の特定情報を生成し表示する（Ｓ４２６）。これにより、中間ディスクの再生が終了する前に、その次の光ディスク１０７への交換の用意をユーザに促す。
【０１１５】
そして、再生している中間ディスクの再生が最後まで終了した場合、あるいはユーザから再生停止の指示が入力した場合（Ｓ４２７“ＹＥＳ”）、再生制御部９０５は、その再生している中間ディスク１０７の再生停止を表示し（Ｓ４２８）、ユーザからの連続再生指示を待機する（Ｓ４２９）。
【０１１６】
ここで、ユーザより連続再生指示が入力しない場合（Ｓ４２９”Ｎｏ”）、再生制御部９０５は、一連の再生処理を終了する一方、ユーザより連続再生指示が入力した場合（Ｓ４２９“ＹＥＳ”）、図１７のＳ４０１の処理に戻り、次のディスクの装着を待機する。
【０１１７】
図２０は、図１７のＳ４１０の”Ｎｏ”の判断に続く、最後の最終ディスクの再生処理手順を示すフローチャートである。
【０１１８】
つまり、図１７のＳ４１０の判断処理にて、”Ｎｏ”と判断された場合、装着された光ディスク１０７は連続記録された場合の最後の最終ディスクの場合であるで、続いてユーザからの再生開始指示の入力を待ち（Ｓ４３０）、ユーザからの再生開始指示の入力があった場合（Ｓ４３０“ＹＥＳ”）、再生制御部９０５は、まずは、装着された光ディスク１０７から読み取ったディスク間管理情報内の前ディスクのディスクＩＤとデータＩＤとが、本装置に記憶しておいたその前に装着された光ディスク１０７のディスク間管理情報から読み取った次ディスクのディスクＩＤとデータＩＤに一致するか否かを判断する（Ｓ４３１）。これにより、今回装着したディスクが、その前に装着され再生したディスクと連続するディスクであるか否かを判断することができる。
【０１１９】
そして、装着された光ディスク１０７のディスク間管理情報から読み取った前ディスクのディスクＩＤとデータＩＤが、本装置に記憶しておいたその前に装着された光ディスク１０７のディスク間管理情報から読み取った次ディスクのディスクＩＤとデータＩＤに一致していないと判断した場合（Ｓ４３１”Ｎｏ”）、今回装着した光ディスク１０７がその前に装着された光ディスク１０７と連続する光ディスク１０７ではないということなので、再生制御部９０５は、連続再生でないことを示す警告表示を行い（Ｓ４３２）、図１７のＳ４０１の処理に戻り、次の光１０７ディスクの装着を待機する。
【０１２０】
一方、装着された光ディスク１０７のディスク間管理情報から読み取った前ディスクのディスクＩＤとデータＩＤとが、本装置に記憶しておいたその前に装着された光ディスク１０７のディスク間管理情報から読み取った次のディスクのディスクＩＤとデータＩＤに一致している場合（Ｓ４３１“ＹＥＳ”）、今回装着したディスクがその前に装着された光ディスク１０７と連続するディスクであるで、再生制御部９０５は、ユーザの指示に応じてその光ディスク１０７に書き込まれたディスク内管理情報を読み込み（Ｓ４３３）、そのディスク内管理情報に基づいてユーザの指示に応じた撮影データの再生を開始し（Ｓ４３４）、その撮影データの再生が終了するまで、あるいはユーザから再生停止の指示が入力するまで（Ｓ４３５”Ｎｏ”）、再生を続ける。そして、その撮影データの再生が終了する場合、あるいはユーザから再生停止の指示が入力した場合（Ｓ４３５“ＹＥＳ”）、そのディスクのデータ再生停止の表示を行い（Ｓ４３６）、一連の再生処理を終了する。
【０１２１】
以上説明したように、上記第１実施例の映像データ再生装置によれば、図１に示すデータ記録装置等により、映像音声データが複数の光ディスク１０７に跨って記録する際に、現在装着されている光ディスク１０７のディスクＩＤとそれに記録される映像音声データのＩＤだけでなく、前の光ディスク１０７または次の光ディスク１０７が存在すれば、前の光ディスク１０７または次の光ディスク１０７のディスクＩＤとそれらに記録される映像音声データのデータＩＤもディスク間管理情報として記録されているので、これらの光ディスク１０７を再生する場合には、装着された光ディスク１０７よりディスク間管理情報を読み出して、その前に装着され再生バッファ１０２に記憶した光ディスク１０７のディスク間管理情報の次のディスクのディスクＩＤやータのデータＩＤ等と照合することにより、一の映像音声データが跨って連続して記録されている複数の光ディスク１０７の順番を間違えずに再生することができる。
【０１２２】
特に、第１実施例では、ディスク間管理情報として、さらに、映像音声データを識別するためのシーケンスＩＤと、映像音声データが跨って記録されている複数の光ディスク１０７における再生順番を示す再生順番情報とをさらに設定するようにしたので、これらの光ディスク１０７を再生する場合には、装着された光ディスク１０７よりこれらのディスク間管理情報をさらに読み出して、このディスク間管理情報の各パラメータを照合することにより、映像音声データが跨って記録されている複数の光ディスク１０７をより確実に再生することができる。
【０１２３】
また、この第１実施例では、これらの光ディスク１０７を再生する場合には、ディスク間管理情報を読み出して、このディスク間管理情報の各パラメータを基に、前後のディスクとの関係を示すリスト画面などを生成して表示すれば、ユーザに、各記録媒体に跨って記録されているデータの記録状況を容易に把握させることができる。
【０１２４】
また、このディスク間管理情報を用いれば、映像音声データを再生していた光ディスク１０７を取り出して、映像音声データのうちの次のデータが記録されている光ディスク１０７を装着した際に、ユーザに、その次の映像音声データの再生位置を指示させることなく、自動で続きの位置をサーチして連続再生することが可能となる。
【０１２５】
更には、ディスクチェンジャーや複数ドライブを必要とせず、装置規模の増大を抑制できるので、カムコーダ等のモバイル装置に搭載することが可能となる。
【０１２６】
特に、第１実施例のデータ記録装置をビデオカメラ等に適用し、現在記録している光ディスク等の記録媒体の記録容量が無くなった場合、装置内の記録バッファ１０１等に記録を継続し、記録バッファ１０１に記録・蓄積される撮影データが上書きされる前に現在の光ディスク１０７を、次の光ディスク１０７に交換して、記録バッファ１０１等に記録しておいた撮影データを途切れることなく次のディスク１０７に記録するようにすれば、複数の記録媒体を交換して映像音声データを記録する場合でも、撮影した映像音声データを途切れることなく、しかも複数の記録媒体間よびそのデータ間の関連付けをした連続記録を実現することができる。
【実施例２】
【０１２７】
次に、本発明の第２実施例を説明する。
第２実施例は、上述した第１実施例の特徴に加え、前後の光ディスクに連続記録された映像音声データの内容をそれぞれ示す代表画像を記録するとともに、この代表画像を識別するための代表画像識別情報を、ディスク間管理情報のパラメータの一つとして加えた場合の実施例である。
【０１２８】
図１２は、第２実施例のディスク間管理情報の一例を示す図である。
【０１２９】
図１２に示す第２実施例のディスク間管理情報は、第１実施例で用いた図１１に示すディスク間管理情報manageInfoAmongDiscs( )に、現在の光ディスクの前に連続記録された光ディスクの映像音声データの内容を表す代表画像を識別するための代表画像識別情報である、Previous＿data＿image＿IDと、現在の光ディスクの次に連続記録される光ディスクの映像音声データの内容を表す代表画像を識別するための代表画像識別情報である、及びNext＿data＿image＿IDをパラメータとして加えている。なお、さらに、現在の光ディスク１０７の映像音声データの内容を表す代表画像を識別するための代表画像識別情報である、current＿data＿image＿IDを追加しても勿論良い。
【０１３０】
そして、制御記１０５は、前後の光ディスク１０７等の代表画像をデータ記録時にディスク間管理情報とともに生成して光ディスク１０７に記録する。例えば、この代表画像識別情報に、他の各パラメータと同様に８バイトを割り当てると、ディスク間管理情報は合計１０４バイトの情報となる。
【０１３１】
［データ記録装置］
次に、上記代表画像識別情報を加えたディスク間管理情報と、代表画像を生成して記録する、第２実施例のデータ記録装置を説明する
【０１３２】
この第２実施例のデータ記録装置の構成及び動作は、図１で示した第１実施例と、ほぼ同様であるで、詳細な説明は省略し、第１実施例と動作が異なる部分を説明する。
【０１３３】
なお、上記第１実施例と異なるのは、主に記録制御部１０５の動作であるで、この制御器１０２の動作を中心に説明する。
【０１３４】
つまり、この第２実施例における記録制御部１０５では、第１実施例のディスク間管理情報を生成するタイミングと同様のタイミングで、映像音声記録領域に記録する映像音声データの代表画像を生成するとともに、この代表画像を識別する代表画像識別情報をディスク間管理情報のパラメータに追加する。そして、生成した代表画像と、ディスク間管理情報を光ディスクの情報記録領域に記録する。
【０１３５】
代表画像は、記録される映像音声データの任意の１画像を抽出したものでも良いし、この抽出した１画像の画素を間引いた縮小画像としても良い。また、任意の１画像ではなく、Ｉ／Ｆ１０６を介してユーザに選択させた画像でも良い。
【０１３６】
また、記録制御部１０５は、この代表画像を、ディスク間管理情報等とともに記録バッファ１０１にも記録する。
【０１３７】
そして、記録制御部１０５は、次の光ディスク１０７が装着されると、記録バッファ１０１に記憶しておいた代表画像を、ディスク間管理情報とともに読み出し、装着された次の光ディスク１０７に前の光ディスク１０７の代表画像およびディスク間管理情報として記録するともに、装着された次の光ディスク１０７の代表画像およびディスク間管理情報を、その次に装着される光ディスク１０７の代表画像およびディスク間管理情報として記録バッファ１０１に記録する。これにより、その次の光ディスク１０７が装着され、その次の光ディスク１０７のディスク間管理情報をこの次の光ディスク１０７のディスク間管理情報として設定しなおす際に、この代表画像を識別する代表画像識別情報も、前の光ディスクの代表画像識別情報に設定し直される。
【０１３８】
なお、次に装着される光ディスク１０７における代表画像は、現在装着されている光ディスク１０７に記録する映像音声データに続く、まだ記録されない映像音声データから抽出しなければならない。従って、例えば、記録バッファ１０１に一時記憶してある、次の光ディスク１０７に記録される予定の映像音映データを先読みして、この映像音声データから作成する。そして、この生成した代表画像を識別する代表画像識別情報も、この時点で予め決定しておく。
【０１３９】
また、実施例１で説明した、ディスク間管理情報の生成方法のように、現時点では作成せずに、前の光ディスク１０７を再装着した際に設定するようにしても良い。
【０１４０】
なお、上記説明は、２枚の光ディスクに跨って連続する映像音声データを記録する場合の例であるが、３枚以上の光ディスクに跨って記録する場合も同様の動作の流れで記録が可能である。
【０１４１】
この場合の処理の流れは、図１６に示す第１実施例の記録側の処理を示すフローチャートに、代表画像とディスク間管理情報のパラメータとして代表画像識別情報が加わったのみであるで説明は省略する。
【０１４２】
［映像データ再生装置］
次に、上記第２実施例のデータ記録装置によって、連続する映像音声データとともに、代表画像とこの代表画像の代表画像識別情報を加えたディスク間管理情報とが記録された光ディスク１０７を再生する映像データ再生装置の動作について、図９及び図５（ａ）を用いて説明する。
【０１４３】
図２１は、第２実施例の映像データ再生装置における再生動作の一例を示すフローチャートである。
【０１４４】
図１７に示す第１実施例の映像データ再生装置における再生動作の一例を示すフローチャートと異なるステップは、第２実施例の映像データ再生装置では、ディスクドライブ１０４に光ディスク１０７が装着され（Ｓ４０１“ＹＥＳ”）、その光ディスク１０７に書き込まれている上述のディスク間管理情報を読み込みにいき（Ｓ４０２）、その光ディスク１０７にディスク間管理情報が記録されていると判断した場合（Ｓ４０３“ＹＥＳ”）、Ｓ４０９の処理により、読み込んだそのディスク間管理情報の中に前の光ディスク１０７に関する前ディスク間管理情報があるか否かを判断する前に、後述する図１３や図１４に示すように、装着された光ディスク１０７に記録されている映像音声データの代表画像を表示すると共に、読み出された少なくとも前代表画像ＩＤあるいは次代表画像ＩＤに基づいて少なくとも前代表画像と次代表画像とのいずれかを表示する共に、読み出された前ディスクＩＤ（ＤＩＤＡ）と前データＩＤ（ＢＳ＃ＮＡ）と、あるいは、次ディスクＩＤ（ＮＥＸＴ）と次データＩＤ（ＮＥＸＴ）とに基づいて、現代表画像と、少なくとも前代表画像あるいは次代表画像いずれか一方との連続関係を表示する新たなステップであるＳ５０１を有する点のみである。
【０１４５】
例えば、この第２実施例の映像データ再生装置のディスクドライブ１０４に、図５（ａ）に示すように３枚以上の光ディスク１０７に映像音声データが記録されたた場合の中間ディスクである光ディスクＢ（２枚目の光ディスク）が装着されると、記録制御部１０５は、それを検出し、ディスクドライブ１０４を制御して、装着された光ディスクＢから、ディスク内管理情報及びディスク間管理情報を読み出し、再生バッファ１０２に一時記憶する。この時、装着された光ディスクＢから読み出したディスク間管理情報の代表画像識別情報で指定される代表画像も読み出し、再生バッファ１０２に一時記憶する。
【０１４６】
その後、記録制御部１０５は、この再生バッファ１０２に一時記憶しておいたディスク内管理情報及びディスク間管理情報を読み出し、このディスク内管理情報及びディスク間管理情報の各パラメータを基に、この光ディスク１０７に記録されている映像音声データの一覧情報を、後述する映像リストとして生成し、Ｉ／Ｆ１０６を介して、図示しない表示部に表示する。
【０１４７】
従って、この第２実施例によれば、ディスク間管理情報のパラメータとして追加した、前の光ディスクの代表画像識別情報及び後の光ディスクの代表画像識別情報によってそれぞれ識別される前後の光ディスクの代表画像を一覧情報に含めて表示することが可能である。
【０１４８】
図１３および図１４は、第２実施例の記録制御部１０５が、図５（ａ）に示すように３枚以上の光ディスク１０７に映像音声データを記録した場合の中間ディスクである光ディスクＢが挿入された場合に、図２１に示すＳ５１０の処理により、光ディスクＢから読み出したディスク間管理情報および代表画像によって生成した映像リストの表示例である。
【０１４９】
図１３および図１４に示す映像リストでは、データＩＤを示す"ＢＳ＃ＮＡ"や"ＢＳ＃１"を囲む四角のなかに、光ディスクＢから読み出した夫々のデータＩＤの代表画像が表示される。
【０１５０】
図５（ａ）に示すように光ディスクＢは、中間ディスクであり、その前後に連続するディスクＡ、ディスクＢがあるで、図１３および図１４に示す映像リストには、光ディスクＢに記録されている映像音声データから抽出した代表画像と、光ディスクＢに連続して記録されている前後の光ディスクＡ，Ｃそれぞれに記録されている映像音声データの代表画像が、データＩＤを示す"ＢＳ＃ＮＡ"や"ＢＳ＃１"を囲む四角のなかに表示される。
【０１５１】
そして、光ディスクＢのディスク間管理情報により、映像音声データの連続も分かるので、再生制御部９０５は、ディスク間管理情報に基づいて連続している映像音声データを、図１３、図１４に示すように、矢印等によって接続することにより、矢印によって接続されている映像音声データがディスク間に跨って連続記録されている映像音声データであることを示す。
【０１５２】
このように、本実施例２によれば、光ディスク１０７が装着された際に、そのディスク間管理情報および代表画像と、映像音声データとを読み込んで、光ディスクＢに記録されている映像音声データの代表画像と、光ディスクＢに連続して記録されている前後の光ディスクＡ，Ｃそれぞれの映像音声データの代表画像とを表示すると共に、ディスク間管理情報に基づいて装着されたディスクＢと、このディスクＢに連続する前後のディスクＡ、Ｃに記録されている映像音声データの代表画像とを、連続関係を矢印等により示しながら映像リストとして表示する。
【０１５３】
これにより、ユーザは、この表示された映像リストにおける代表画像の一覧情報を基に、再生したい映像音声データをＩ／Ｆ１０６を介して選択することができる。このとき、例えば、ユーザによって、図１４に示すように、光ディスクＢに記録されたデータＩＤ“ＢＳ＃１" の映像音声データが選択された場合には、データＩＤ“ＢＳ＃１"の映像音声データは光ディスクＡのデータＩＤ“ＢＳ＃ＮＡ"の映像音声データの後に連続記録された映像音声データであるで、再生制御部９０５は、例えば、“前に続きがあります”等のように、ディスクＢのデータＩＤ“ＢＳ＃１"の映像音声データの前に連続記録されたディスクＡのデータＩＤ“ＢＳ＃ＮＡ"の映像音声データが存在することを知らせるメッセージを表示部に表示する。
【０１５４】
このとき、ユーザが、ディスクＢのデータＩＤ“ＢＳ＃１"の映像音声データを単独で見たいと考え、データＩＤ“ＢＳ＃１"の映像音声データを選択した場合は、Ｉ／Ｆ１０６を介して、このデータＩＤ“ＢＳ＃１"の映像音声データを再生する選択信号を再生制御部９０５に送信する。すると、再生制御部９０５は、ディスクＢのディスク内管理情報及びディスク間管理情報を基に、データＩＤ“ＢＳ＃１"の映像音声データが記録されている光ディスク上の位置（アドレス）情報をディスクドライブ１０４に送出する。ディスクドライブ１０４は、受信したアドレス位置から再生を開始することで、データＩＤ“ＢＳ＃１"の映像音声データを読み出す。
【０１５５】
一方、ユーザが連続記録された映像音声データを最初から通して見たいと考えた場合、ユーザは、ディスクドライブ１０４からディスクＢを排出し、ディスクＡを装着する。
【０１５６】
再生制御部９０５は、ディスクＡが装着されたことを検出すると、ディスクＡからディスク内管理情報及びディスク間管理情報を読み取り、このディスクＡ自身のディスクＩＤと、ディスク交換前に再生バッファ１０２に記録されているディスクＢのディスク間管理情報の前の光ディスクのディスクＩＤとを比較する。ディスクＩＤが一致し、ディスクＡであることを認証したら、ディスクＢと同様に、ディスクＡからディスク内管理情報を読み出し再生バッファ１０２に一時記憶する。
【０１５７】
次に再生制御部９０５は、再生バッファ１０２に一時記憶しておいたディスクＡのディスク内管理情報及びディスク間管理情報を基に、データＩＤ“ＢＳ＃ＮＡ"の映像音声データが記録されている光ディスク上の位置（アドレス）情報をディスクドライブ１０４に送出する。ディスクドライブ１０４は、受信したアドレス位置から再生を開始することで、データＩＤ“ＢＳ＃ＮＡ"の映像音声データを読み出す。一方、ディスクＩＤが一致しない場合、再生制御部９０５は、正しい光ディスクの装着を促すディスク交換のメッセージをＩ／Ｆ１０６に表示する。
【０１５８】
なお、上記説明は、３枚の光ディスクに跨って記録されている連続する映像音声データを再生する場合の例であるが、２枚や４枚以上の光ディスクに跨って記録されている連続する映像音声データを再生する場合も同様の動作の流れで再生が可能である。
【０１５９】
以上のように、この第２実施例の再生の処理の流れは、第１実施例における映像データ再生装置における再生動作の処理に、代表画像とディスク間管理情報のパラメータとして代表画像識別情報が加わったのみであり、図１８〜図２０の処理も同じである。
【０１６０】
このように、上記第２実施例によれば、上記第１実施例の効果に加え、さらに連続して記録されているデータの再生時に、再生対象の記録媒体とその前後の記録媒体とに記録されている映像音声データのコンテンツ内容を示す代表画像を、図１３や図１４に示すように連続関係を矢印等により示して表示することが可能となる。従って、第１実施例で得られる効果に加えて、ユーザに対して視覚的にデータの有無、及び内容を把握させることができ、ユーザに親和性の高い再生用のオンターフェースを提供することが可能となる。
【０１６１】
なお、本発明は上記した装置の機能をコンピュータに実現させるためのプログラムや、かかるプログラムを記録した記録媒体を含むものである。これらのプログラムは、記録媒体から読み取られてコンピュータに取り込まれてもよいし、通信ネットワークを介して伝送されてコンピュータに取り込まれてもよい。
【０１６２】
また、上記実施例では、記録媒体として、光ディスクを一例に説明したが、本発明は、これに限らず、メモリや、ＨＤＤ等の記録媒体にも適用される。
【図面の簡単な説明】
【０１６３】
【図１】データ記録装置の概略構成を示すブロック図である。
【図２】リンク構造を成す記録バッファの一例を示す図である。
【図３】２枚の光ディスクに跨るデータ記録の一例を示す図である。
【図４】光ディスクに記録するディスク間管理情報を表記した図である。
【図５】３枚の光ディスクに跨るデータ記録の一例を示す図である。
【図６】光ディスクＡ排出時に記録されたディスク間管理情報を表記した図である。
【図７】光ディスクＢ記録時に記録されたディスク間管理情報を表記した図である。
【図８】光ディスクＡ再装着時に記録されたディスク間管理情報を表記した図である。
【図９】本発明の映像データ再生装置の概略構成を示すブロック図である。
【図１０】リンク構造を成す再生バッファの一例を示す図である。
【図１１】光ディスクに記録するディスク間管理情報のシンタックスを定義した第１実施例を示す図である。
【図１２】光ディスクに記録するディスク間管理情報のシンタックスを定義した第２実施例を示す図である。
【図１３】ディスクＢに記録されている画像データ及びディスク間で連続している画像データの代表画面を表示する一例を示す図である。
【図１４】ディスクＢに記録されている画像データ及びディスク間で連続している画像データの代表画面を表示する一例を示す図である。
【図１５】第１実施例における連続記録中の経過概要の一例を示す図である。
【図１６】第１実施例のデータ記録装置における記録動作の一例を示すフローチャートである。
【図１７】第１実施例の映像データ再生装置における再生動作の一例を示すフローチャートである。
【図１８】図１７に示すフローチャートにおける１枚目の先頭ディスクの場合の再生動作部分を示すフローチャートである。
【図１９】図１７に示すフローチャートにおける３枚以上に連続記録した場合の中間ディスクの場合の再生動作部分を示すフローチャートである。
【図２０】図１７に示すフローチャートにおける最後の最終ディスクの場合の再生動作部分を示すフローチャートである。
【図２１】第２実施例の映像データ再生装置における再生動作の一例を示すフローチャートである。
【符号の説明】
【０１６４】
１００：映像音声圧縮器
１０１：記録バッファ
１０２：再生バッファ
１０３：映像音声復号器
１０４：ディスクドライブ（記録手段、再生手段）
１０５：記録制御部（記録制御手段）
１０６：インターフェース（Ｉ／Ｆ）
１０７：光ディスク
９０５：再生制御部（再生制御手段）
【図１】
2008210494.tif 000003
【図２】
2008210494.tif 000004
【図３】
2008210494.tif 000005
【図４】
2008210494.tif 000006
【図５】
2008210494.tif 000007
【図６】
2008210494.tif 000008
【図７】
2008210494.tif 000009
【図８】
2008210494.tif 000010
【図９】
2008210494.tif 000011
【図１０】
2008210494.tif 000012
【図１１】
2008210494.tif 000013
【図１２】
2008210494.tif 000014
【図１３】
2008210494.tif 000015
【図１４】
2008210494.tif 000016
【図１５】
2008210494.tif 000017
【図１６】
2008210494.tif 000018
【図１７】
2008210494.tif 000019
【図１８】
2008210494.tif 000020
【図１９】
2008210494.tif 000021
【図２０】
2008210494.tif 000022
【図２１】
2008210494.tif 000023